(57)【要約】【課題】  前回の撮像から時間間隔が空いた場合に、次回の撮像でユーザが撮像条件を設定し忘れることを防止するディジタルカメラを提供する。【解決手段】  本発明に係るディジタルカメラは、撮像条件の設定を受け付ける設定手段と、被写体を撮像してディジタル画像を作成する撮像手段であって、前記設定手段によって設定されている撮像条件に基づいて前記ディジタル画像を作成するか又は作成した前記ディジタル画像に前記設定手段によって設定されている撮像条件に応じた処理を施す撮像手段と、前記設定手段で最後に設定又は設定の確認を受け付けた設定受付時からの経過時間に応じて警告を発する警告手段と、を備える。【選択図】    図１
2006066940.tif 000002
【特許請求の範囲】
【請求項１】
撮像条件の設定を受け付ける設定手段と、
被写体を撮像してディジタル画像を作成する撮像手段であって、前記設定手段によって設定されている撮像条件に基づいて前記ディジタル画像を作成するか又は作成した前記ディジタル画像に前記設定手段によって設定されている撮像条件に応じた処理を施す撮像手段と、
前記設定手段で最後に設定又は設定の確認を受け付けた設定受付時からの経過時間に応じて警告を発する警告手段と、
を備えることを特徴とするディジタルカメラ。
【請求項２】
前記撮像手段で被写体を撮像するための必須の操作を受け付ける操作手段を更に備え、
前記警告手段は、前記操作手段で前記操作を受け付けると、その時までの経過時間に応じて警告を発することを特徴とする請求項１に記載のディジタルカメラ。
【請求項３】
前記操作は、撮像モードを選択する操作であることを特徴とする請求項２に記載のディジタルカメラ。
【請求項４】
前記警告手段による警告を行うか否かの設定を受け付ける警告設定手段を更に備え、
前記警告手段は、前記警告設定手段により警告を行うよう設定されているときのみ警告を発することを特徴とする請求項１、２又は３に記載のディジタルカメラ。
【請求項５】
撮像条件の設定を受け付ける設定手段と、
被写体を撮像してディジタル画像を作成する撮像手段であって、前記設定手段によって設定されている撮像条件に基づいて前記ディジタル画像を作成するか又は作成した前記ディジタル画像に前記設定手段によって設定されている撮像条件に応じた処理を施す撮像手段と、
前記設定手段で最後に設定又は設定の確認を受け付けた設定受付時と、前記撮像手段で作成されたディジタル画像と、前記ディジタル画像を作成した作成時とを関連付けて記憶媒体に記憶する記憶手段と、
を備えることを特徴とするディジタルカメラ。
【請求項６】
前記ディジタル画像に関連付けられている設定受付時と前記ディジタル画像に関連付けられている作成時とに応じて警告を発する警告手段を更に備えることを特徴とする請求項５に記載のディジタルカメラ。
【請求項７】
前記ディジタル画像を再生する再生手段と、
前記ディジタル画像を再生する指示を受け付ける再生指示手段とを更に備え、
前記警告手段は、前記再生指示手段で前記指示を受け付けると前記設定受付時と前記作成時とに応じて警告を発することを特徴とする請求項６に記載のディジタルカメラ。
【請求項８】
前記撮像条件はディジタル画像を分類するための分類属性であり、
前記撮像手段は、設定されている分類属性を前記ディジタル画像に関連付ける処理を施すことを特徴とする請求項１〜７のいずれか一項に記載のディジタルカメラ。
【請求項９】
前記撮像条件はディジタル画像のサイズであり、
前記撮像手段は、設定されているサイズに基づいて前記ディジタル画像を拡大あるいは縮小する処理を施すことを特徴とする請求項１〜７のいずれか一項に記載のディジタルカメラ。
【請求項１０】
前記撮像条件はディジタル画像の圧縮パラメータであり、
前記撮像手段は、設定されている圧縮パラメータに基づいて前記ディジタル画像を圧縮する処理を施すことを特徴とする請求項１〜７のいずれか一項に記載のディジタルカメラ。
【請求項１１】
前記撮像条件は露出値であり、
前記撮像手段は、設定されている露出値に基づいて前記ディジタル画像を作成することを特徴とする請求項１〜７のいずれか一項に記載のディジタルカメラ。
【請求項１２】
前記撮像条件はホワイトバランスであり、
前記撮像手段は、設定されているホワイトバランスに基づいて前記ディジタル画像を作成することを特徴とする請求項１〜７のいずれか一項に記載のディジタルカメラ。
【請求項１３】
前記撮像条件はシーンモード情報であり、
前記撮像手段は、設定されているシーンモード情報に基づいて前記ディジタル画像を作成することを特徴とする請求項１〜７のいずれか一項に記載のディジタルカメラ。
【請求項１４】
ストロボを更に備え、
前記撮像条件はストロボ制御情報であり、
前記撮像手段は、設定されているストロボ制御情報に基づいて前記ストロボの発光を制御して前記ディジタル画像を作成することを特徴とする請求項１〜７のいずれか一項に記載のディジタルカメラ。
【請求項１５】
前記警告手段は、メッセージを表示することによって警告することを特徴とする請求項１〜１４のいずれか一項に記載のディジタルカメラ。
【請求項１６】
前記警告手段は、音を発することによって警告することを特徴とする請求項１〜１５のいずれか一項に記載のディジタルカメラ。
【請求項１７】
記憶媒体に記憶されているディジタル画像を再生する再生手段と、
前記ディジタル画像を再生する指示を受け付ける再生指示手段と、
前記再生指示手段で前記指示を受け付けると前記ディジタル画像に関連付けられている設定受付時と前記ディジタル画像に関連付けられている作成時とに応じて警告を発する警告手段と、
を備えることを特徴とする画像再生装置。
【発明の詳細な説明】
【技術分野】
【０００１】
本発明は、ディジタルカメラ、及び画像再生装置に関する。
【背景技術】
【０００２】
例えば政府や地方自治体などから発注される工事では、工事の進捗度合いを報告するに当たり、工事現場を撮像した工事現場写真を報告書に添付している。工事現場写真では任意に工事現場を撮像するだけでは足りず、工種、種別、細別などといった分類属性を黒板に書き込み、工事現場と黒板とを一緒に撮像する必要がある。分類属性を書き込んだ黒板を一緒に撮像すると、発注元では黒板上の文字列を見てどの分類属性に対応する工事現場写真であるかを容易に知ることができる。
【０００３】
従来、こうした報告書の作成を支援するため、撮像時に分類属性の設定を受け付け、撮像したディジタル画像と設定された分類属性とを関連付けて保存するディジタルカメラが知られている（例えば、特許文献１参照。）。従来のディジタルカメラでは、設定された分類属性をディジタル画像が格納されている画像ファイルの付属情報に記述することによってディジタル画像を分類属性と関連付けている。従来のディジタルカメラによると、ディジタル画像上に分類属性を表す文字列が合成されないため、ディジタル画像を損ねることがない。また、再生するときはディジタル画像に分類属性を重ね合わせて表示することにより、各ディジタル画像について分類属性を容易に確認することができる。
【０００４】
【特許文献１】特開２００３−４６８４９号公報
【発明の開示】
【発明が解決しようとする課題】
【０００５】
一般にディジタルカメラによる撮像では、同じ撮像条件ならばほぼ同時期に撮像され、次回の異なる撮像条件での撮像とは時間間隔が空く傾向がある。逆にいうと、前回の撮像からある程度時間が経過した後に撮像を行う場合は、撮像条件を設定し直す可能性が高い。にもかかわらず次回の撮像で設定し直さずに撮像したとすると、設定し直さなければならないのを忘れている可能性が高い。一般にディジタルカメラでは最後に設定した撮像条件が電源をオフにした後も保持されている。従って、設定し直すことを忘れると、誤った撮像条件に基づいてディジタル画像が撮像されてしまうことになる。
【０００６】
例えば前述した工事現場写真の場合、前回の撮像から次回の撮像までには工事を進めなければならないため、次回の撮像は前回の撮像からある程度時間が経過しているはずである。逆にいうと、前回の撮像からある程度時間が経過して撮像する場合は工種、種別、細別を設定し直す可能性が高い。にもかかわらず次回の撮像で工種、種別、細別を設定し直さずに撮像したとすると、工種、種別、細別を設定し直さなければならないのを忘れている可能性が高い。設定し直すことを忘れると、工事現場写真に誤った工種、種別、細別が関連付けられてしまうことになる。
【０００７】
また、撮像条件を設定し直すことを忘れて撮像してしまった場合、注意して見ないと撮像条件の誤りに気付かないこともあり、誤った撮像条件で撮像されたディジタル画像がそのことに気付かれずに放置されてしまう場合もあり得る。
例えば前述した工事現場写真の場合、誤った工種、種別、細別が関連付けられていても、注意して見ないとその誤りに気付かないこともあり、誤った分類属性が関連付けられている工事現場写真がそのことに気付かれずに報告書に添付されてしまう可能性がある。
【０００８】
本発明はかかる問題に鑑みて創作されたものであって、前回の撮像から時間間隔が空いた場合に、次回の撮像でユーザが撮像条件を設定し忘れることを防止するディジタルカメラを提供することにある。
また、本発明の別の目的は、前回の撮像から時間間隔が空いた場合に、次回の撮像でユーザが撮像条件を設定し忘れて撮像してしまっても、再生の際にユーザがそのことに気付くことのできるディジタルカメラ、及び画像再生装置を提供することにある。
【課題を解決するための手段】
【０００９】
上記目的を達成するため、本発明に係るディジタルカメラは、撮像条件の設定を受け付ける設定手段と、被写体を撮像してディジタル画像を作成する撮像手段であって、前記設定手段によって設定されている撮像条件に基づいて前記ディジタル画像を作成するか又は作成した前記ディジタル画像に前記設定手段によって設定されている撮像条件に応じた処理を施す撮像手段と、前記設定手段で最後に設定又は設定の確認を受け付けた設定受付時からの経過時間に応じて警告を発する警告手段と、を備える。このディジタルカメラによると、経過時間に応じて警告が発せられるので、最後に設定又は設定の確認を行ってから時間が経過していても、その警告により撮像条件の設定又は設定の確認を忘れずに行うことができる。よってこのディジタルカメラによると、前回の撮像から時間間隔が空いた場合に、次回の撮像でユーザが撮像条件を設定し忘れることを防止できる。
【００１０】
さらに本発明に係るディジタルカメラでは、前記撮像手段で被写体を撮像するための必須の操作を受け付ける操作手段を更に備え、前記警告手段は、前記操作手段で前記操作を受け付けると、その時までの経過時間に応じて警告を発する。このディジタルカメラによると、ユーザは設定又は設定の確認を忘れていたとしても撮像するための必須の操作は必ず行うので、必須の操作が行われるとその時までの経過時間に応じて警告を発するようにしておけば、撮像前の適切なタイミングで確実に警告することができる。
【００１１】
さらに本発明に係るディジタルカメラでは、前記操作は、撮像モードを選択する操作である。撮像モードを選択する操作を受け付けたときに警告するようにすると、撮像前の適切なタイミングで確実に警告することができる。
さらに本発明に係るディジタルカメラでは、前記警告手段による警告を行うか否かの設定を受け付ける警告設定手段を更に備え、前記警告手段は、前記警告設定手段により警告を行うよう設定されているときのみ警告を発する。このディジタルカメラによると、警告を行わないように設定しておけば警告は発せられないので、警告が不要な場合は無用に警告が発せられることによる煩わしさを低減できる。
【００１２】
上記目的を達成するため、本発明に係るディジタルカメラは、撮像条件の設定を受け付ける設定手段と、被写体を撮像してディジタル画像を作成する撮像手段であって、前記設定手段によって設定されている撮像条件に基づいて前記ディジタル画像を作成するか又は作成した前記ディジタル画像に前記設定手段によって設定されている撮像条件に応じた処理を施す撮像手段と、前記設定手段で最後に設定又は設定の確認を受け付けた設定受付時と、前記撮像手段で作成されたディジタル画像と、前記ディジタル画像を作成した作成時とを関連付けて記憶媒体に記憶する記憶手段と、を備える。このディジタルカメラによると、ディジタル画像を再生するとき設定受付時と作成時とに応じて警告を発するようにすることで、前回の撮像から時間間隔が空いた場合に、次回の撮像でユーザが撮像条件を設定し忘れて撮像してしまっても、再生の際にユーザがそのことに気付くことができる。
【００１３】
さらに本発明に係るディジタルカメラでは、前記ディジタル画像に関連付けられている設定受付時と前記ディジタル画像に関連付けられている作成時とに応じて警告を発する警告手段を更に備える。このディジタルカメラによると、設定受付時と作成時とに応じて警告を発するので、ディジタル画像を再生するときに警告を発するようにすることで、前回の撮像から時間間隔が空いた場合に、次回の撮像でユーザが撮像条件を設定し忘れて撮像してしまっても、再生の際にユーザがそのことに気付くことができる。
【００１４】
さらに本発明に係るディジタルカメラでは、前記ディジタル画像を再生する再生手段と、前記ディジタル画像を再生する指示を受け付ける再生指示手段とを更に備え、前記警告手段は、前記再生指示手段で前記指示を受け付けると前記設定受付時と前記作成時とに応じて警告を発する。このディジタルカメラによると、ディジタル画像を再生するとき設定受付時と作成時とに応じて警告を発するので、前回の撮像から時間間隔が空いた場合に、次回の撮像でユーザが撮像条件を設定し忘れて撮像してしまっても、再生の際にユーザがそのことに気付くことができる。
【００１５】
さらに本発明に係るディジタルカメラでは、前記撮像条件はディジタル画像を分類するための分類属性であり、前記撮像手段は、設定されている分類属性を前記ディジタル画像に関連付ける処理を施す。このディジタルカメラによると、分類属性を設定し忘れてディジタル画像に誤った分類属性が関連付けられてしまうことを防止できる。
【００１６】
さらに本発明に係るディジタルカメラでは、前記撮像条件はディジタル画像のサイズであり、前記撮像手段は、設定されているサイズに基づいて前記ディジタル画像を拡大あるいは縮小する処理を施す。このディジタルカメラによると、サイズを設定し忘れてディジタル画像が意図しないサイズに拡大あるいは縮小されてしまうことを防止できる。
【００１７】
さらに本発明に係るディジタルカメラでは、前記撮像条件はディジタル画像の圧縮パラメータであり、前記撮像手段は、設定されている圧縮パラメータに基づいて前記ディジタル画像を圧縮する処理を施す。このディジタルカメラによると、圧縮パラメータを設定し忘れてディジタル画像が意図しない圧縮パラメータで圧縮されてしまうことを防止できる。
【００１８】
さらに本発明に係るディジタルカメラでは、前記撮像条件は露出値であり、前記撮像手段は、設定されている露出値に基づいて前記ディジタル画像を作成する。このディジタルカメラによると、露出値を設定し忘れてディジタル画像が意図しない露出値に基づいて作成されてしまうことを防止できる。
さらに本発明に係るディジタルカメラでは、前記撮像条件はホワイトバランスであり、前記撮像手段は、設定されているホワイトバランスに基づいて前記ディジタル画像を作成する。このディジタルカメラによると、ホワイトバランスを設定し忘れてディジタル画像が意図しないホワイトバランスに基づいて作成されてしまうことを防止できる。
【００１９】
さらに本発明に係るディジタルカメラでは、前記撮像条件はシーンモード情報であり、前記撮像手段は、設定されているシーンモード情報に基づいて前記ディジタル画像を作成する。このディジタルカメラによると、シーンモード情報を設定し忘れてディジタル画像が意図しないシーンモード情報に基づいて作成されてしまうことを防止できる。
【００２０】
さらに本発明に係るディジタルカメラでは、ストロボを更に備え、前記撮像条件はストロボ制御情報であり、前記撮像手段は、設定されているストロボ制御情報に基づいて前記ストロボの発光を制御して前記ディジタル画像を作成する。このディジタルカメラによると、ストロボ制御情報を設定し忘れて意図しないストロボ制御情報に基づいて制御されてしまうことを防止できる。
【００２１】
さらに本発明に係るディジタルカメラでは、前記警告手段は、メッセージを表示することによって警告する。このディジタルカメラによると、メッセージが表示されるので、ユーザはメッセージにより警告を知ることができる。
さらに本発明に係るディジタルカメラでは、前記警告手段は、音を発することによって警告する。このディジタルカメラによると、音が発せられるので、ユーザは音により警告を知ることができる。
【００２２】
上記目的を達成するため、本発明に係る画像再生装置は、記憶媒体に記憶されているディジタル画像を再生する再生手段と、前記ディジタル画像を再生する指示を受け付ける再生指示手段と、前記再生指示手段で前記指示を受け付けると前記ディジタル画像に関連付けられている設定受付時と前記ディジタル画像に関連付けられている作成時とに応じて警告を発する警告手段と、を備える。この画像再生装置によると、ディジタル画像を再生するとき設定受付時と作成時とに応じて警告を発するので、前回の撮像から時間間隔が空いた場合に、次回の撮像でユーザが撮像条件を設定し忘れて撮像してしまっても、再生の際にユーザがそのことに気付くことができる。
【００２３】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００２４】
以下、本発明を実施するための最良の形態を実施例に基づいて説明する。
（第一実施例）
図２は、本発明の第一実施例に係るディジタルカメラとしてのディジタルスチルカメラ（ＤＳＣ）１のハードウェア構成を示すブロック図である。
光学系１１は、一つ以上のレンズで構成されるレンズ群１１ａ、レンズ群１１ａの中に設けられる絞り１１ｂなどで構成されている。光学系１１はイメージセンサ１２の受光面に被写体の光学像を結像する。
【００２５】
イメージセンサ１２は、２次元空間に離散的に配置された光電変換素子とＣＣＤ（Charge Coupled Device）などの電荷転送素子とを備えた撮像素子であり、所謂ＣＣＤイメージセンサ、ＣＭＯＳイメージセンサなどである。イメージセンサ１２は図示しないセンサコントローラによって駆動される。イメージセンサ１２は光学系１１により結像された光学像を光電変換して得られる電荷を光電変換素子毎に一定時間蓄積し、光電変換素子毎の受光量に応じた電気信号を出力する。イメージセンサ１２は受光面にＣ（Cyan）、Ｍ（Magenta）、Ｙ（Yellow）及びＧ（Green）の４色フィルタ、またはＲ（Red）、Ｇ（Green）及びＢ（Blue）の３色フィルタを設けることによりカラー画像情報を取り込むことが可能である。
【００２６】
アナログフロントエンド（ＡＦＥ）部１３は、イメージセンサ１２から出力される電気信号をＡＤ変換器でディジタル信号に量子化して出力する。具体的には例えば、ＡＦＥ部１３は電気信号に含まれる雑音の低減処理であるＣＤＳ（Correlated Double Sampling）処理、画像の黒レベルを再現するためのオプティカル・ブラック・クランプ制御や、ゲインの調整による電気信号のレベル調整処理、所定ビット長のディジタル信号に量子化する量子化処理などを行ってディジタル画像処理部１４にディジタル信号を出力する。
【００２７】
ディジタル画像処理部１４は、ＡＦＥ部１３から出力されたディジタル信号に対し、画像形成処理、ホワイトバランス補正、ガンマ補正、形成したディジタル画像の色空間を変換する色空間変換処理、形成したディジタル画像の階調値を８ビットに変換する処理などを施して制御部２０に出力する。ここで画像形成処理とは、例えば規則性をもって市松模様に色フィルタが配列されるイメージセンサ１２の各画素（センサの表面にある一色の色フィルタが形成されている）から出力された１色分の階調値についてＲ、Ｇ、Ｂいずれか他の２色を近傍画素の各色の階調値で補間することにより、全ての画素にＲ、Ｇ、Ｂの色情報を持たせてディジタル画像を形成する処理のことをいう。なお、ディジタル画像処理部１４で施す上記各種の処理は、制御部２０で実行するコンピュータプログラムによる処理に置き換えてもよい。
【００２８】
圧縮・伸張部１５は、制御部２０から出力されたディジタル画像を圧縮し、また、圧縮されたディジタル画像を伸張する。圧縮・伸張部１５は具体的には例えば非可逆圧縮方式であるＪＰＥＧ形式や、データの切り捨てを伴わない可逆圧縮方式を用いた圧縮を行う。圧縮・伸張部１５は圧縮を行わないＴＩＦＦ形式のディジタル画像に変換することも可能に構成されている。
【００２９】
外部記憶部２１は、記憶媒体としてのリムーバブルメモリ２２を接続するための接続端子、メモリコントローラなどを備える。リムーバブルメモリ２２は電源が切れても記憶内容が失われないフラッシュメモリなどのような不揮発性メモリである。なお、リムーバブルメモリ２２はフレキシブルディスクなどであってもよい。外部記憶部２１は制御部２０によって制御され、圧縮・伸張部１５で圧縮されたディジタル画像をリムーバブルメモリ２２へ書き込む処理、及びリムーバブルメモリ２２に記憶されているディジタル画像を読み出す処理を行う。
【００３０】
表示部１８は、ＬＣＤ（Liquid Crystal Display）、ＬＣＤを制御するディスプレイコントローラなどを備える。表示部１８は制御部２０によって制御され、撮像モードでは電子ビューファインダとして機能し、再生モードではリムーバブルメモリ２２から読み出したディジタル画像を表示するモニタとして機能する。また、表示部１８は、撮像モード又は再生モードを選択するためのメニューや、ディジタル画像を分類するための分類属性、ディジタル画像のサイズ、圧縮パラメータ、露出値、ホワイトバランス、シーンモード情報、ストロボ制御情報などの設定を行うためのメニューなども表示する。
【００３１】
操作部１９は、シャッタボタンや、表示部１８に表示される各種のメニューを操作するための複数の押しボタンスイッチや十字キーなどを備える。なお、撮像モード又は再生モードの選択については、撮像モード又は再生モードを選択する操作を受け付ける専用の操作ボタンを備えてもよい。
計時部２３は、一定周期で振動する水晶発振器とカウンタ回路とを備えている。初期値として与えられる時計データは制御部２０によってカウンタ回路の記憶素子に格納され、計時部２３は格納された時計データを水晶発振器の発するパルスを基に更新していくことで初期値が設定されたときから経過した時間に応じた時計データを保持する。
【００３２】
制御部２０は、ＣＰＵ２０ａ、フラッシュメモリ２０ｂ、ＲＡＭ２０ｃを備える。ＣＰＵ２０ａはフラッシュメモリ２０ｂに記憶されているプログラムを実行することでＤＳＣ１の全体を制御する。フラッシュメモリ２０ｂは各種のプログラムやデータなどを記憶しているメモリである。ＲＡＭ２０ｃは各種のプログラムやデータを一時的に記憶するためのメモリである。フラッシュメモリ２０ｂに記憶する各種のプログラムやデータは所定のサーバからネットワークを介してダウンロードして記憶してもよいし、リムーバブルメモリ２２などのコンピュータ読み取り可能な記憶媒体から読み出して記憶してもよい。
【００３３】
特許請求の範囲に記載の設定手段は、表示部１８、操作部１９、及び制御部２０に相当する。特許請求の範囲に記載の撮像手段は、光学系１１、イメージセンサ１２、アナログフロントエンド部１３、ディジタル画像処理部１４、圧縮・伸張部１５、及び制御部２０に相当する。特許請求の範囲に記載の警告手段は、表示部１８、制御部２０、及び計時部２３に相当する。特許請求の範囲に記載の操作手段は、表示部１８、操作部１９、及び制御部２０に相当する。特許請求の範囲に記載の警告設定手段は、表示部１８、操作部１９、及び制御部２０に相当する。
【００３４】
次に、撮像条件の設定について説明する。
第一実施例では撮像条件としてディジタル画像を分類するための分類属性を例に説明する。第一実施例の分類属性は具体的には工事現場写真を分類するための工種、種別、細別である。ＤＳＣ１は工事現場を撮像して工事現場写真を作成すると、作成した工事現場写真と設定されている分類属性とを関連付けて記憶媒体に保存する。工事現場写真と分類属性とを関連付けて記憶媒体に保存するようにすると、工事現場写真に分類属性を表す文字列が合成されないため、ディジタル画像を損ねることがない。また、再生するときはディジタル画像に分類属性を重ね合わせて表示することにより、各ディジタル画像について分類属性を容易に確認することができる。
【００３５】
第一実施例の分類属性はそれぞれ独立したファイルに記述される。例えば工種、種別、細別として「護岸基礎、法留基礎工、法留基礎」という分類属性があるとすると、”護岸基礎”、”法留基礎工”、”法留基礎”という文字列が記述されたファイルが一つ作成される。同様にして工種、種別、細別の全ての組み合わせについて、一つの組み合わせにつき一つのファイルが作成される。以降の説明では分類属性が記述されている各ファイルのことをフレームというものとする。なお、全ての工種、種別、細別を一ファイルに記述するようにしてもよい。フレームはリムーバブルメモリ２２に記憶される。なお、フレームを所定のサーバからネットワークを介してダウンロードしてフラッシュメモリ２０ｂに記憶してもよいし、リムーバブルメモリ２２などのコンピュータ読み取り可能な記憶媒体から読み出してフラッシュメモリ２０ｂに記憶してもよい。
【００３６】
図３は、第一実施例に係る設定画面の模式図である。第一実施例の設定画面３１はフレームの設定を受け付ける画面である。フレームは、そのファイル名がフラッシュメモリ２０ｂの所定の領域に記憶されることによって設定される。設定画面３１の表示が指示されると、ＤＳＣ１はフラッシュメモリ２０ｂからフレームのファイル名を読み込み、読み込んだファイル名で特定されるフレームをリムーバブルメモリ２２から読み込んで工種、種別、細別を取得する。次に、取得した工種、種別、細別を図３に示すようにスルー画像に重ね合わせてＬＣＤに表示する。ユーザにより十字キー１９ｃの右端又は左端が押下されると、ＤＳＣ１は押下された端に応じて前のフレーム又は次のフレームを選択し、選択したフレームから工種、種別、細別を取得して表示する。なお、フレームのファイル名はフラッシュメモリ２０ｂに記憶してもよいし、リムーバブルメモリ２２に専用ファイルを作成してそのファイルに記述しておいてもよい。
【００３７】
ユーザは十字キー１９ｃを操作して目的のフレームを表示させ、ボタン１９ｂを押下する。ＤＳＣ１はボタン１９ｂが押下されるとそのとき表示しているフレームを選択されたフレームとして受け付け、当該フレームのファイル名をフラッシュメモリ２０ｂに記憶する。これによりフレームが設定される。フラッシュメモリ２０ｂは不揮発性なので電源を切っても設定が保持され、再び電源を投入した後もその設定が有効である。フレームを設定することなく設定画面３１を終了する場合は、ユーザはボタン１９ａを押下する。すなわちボタン１９ａが押下された場合は、ユーザはフレームを設定したのではなく設定されているフレームを確認したことになる。ＤＳＣ１はボタン１９ａ又は１９ｂが押下されると、計時部２３から現在の年月日時分秒を取得してフラッシュメモリ２０ｂに記憶する。これにより、最後に設定又は設定の確認を受け付けた設定受付時が記憶される。
【００３８】
図４は、リムーバブルメモリ２２の記録内容を示す模式図である。工事現場写真は関連付けファイルによってフレームと関連付けられる。図中の拡張子が「．ｊｐｇ」のファイルは工事現場写真であり、拡張子が「．ｕｓｔ」のファイルは関連付けファイルである。関連付けファイルは工事現場写真と同じフォルダに保存される。図中の拡張子が「．ｐｉｆ」のファイルはフレームである。関連付けファイルには当該工事現場写真を作成したときに設定されていたフレームのファイル名あるいはパス名が記述され、また、関連付けファイルには拡張子を除いて工事現場写真のファイル名と同じ名前が付与される。従って、工事現場写真が選択されたとき、拡張子を除くファイル名が当該工事現場写真のファイル名と同じ関連付けファイルを検索し、検索した関連付けファイルからファイル名あるいはパス名を取得することで、フレームを一意に特定することができる。
【００３９】
次に、ＤＳＣ１の処理について説明する。
図１は、ＤＳＣ１の処理の流れを示すフローチャートである。第一実施例では「必須の操作」として撮像モードを選択する操作を例に説明する。ユーザは設定又は設定の確認を忘れていたとしても撮像モードを選択する操作は必ず行うので、撮像モードを選択する操作が行われるとその時までの経過時間に応じて警告を発するようにしておけば、撮像前の適切なタイミングで確実に警告することができる。図１に示す処理はユーザが操作部１９を操作して撮像モードを選択する操作を行うと開始される。
【００４０】
Ｓ１０５では、ＤＳＣ１は警告を行うよう設定されているか否を判定する。図中の「警告モード」とは警告を行う設定のことをいう。警告モードが設定されていなければＳ１５０に進み、設定されていればＳ１１０に進む。
Ｓ１１０では、ＤＳＣ１はフラッシュメモリ２０ｂから設定受付時を読み出す。
【００４１】
Ｓ１１５では、ＤＳＣ１は計時部２３から現在の年月日時分秒を取得し、設定受付時から現在までの経過時間を求める。
Ｓ１２０では、ＤＳＣ１は経過時間が所定時間以上であるか否かを判定する。例えば工事現場写真では前回の撮像から次回の撮像までに最低２４時間は時間間隔が空くとする。この場合、経過時間が２４時間以上であるとすると、工事が進み分類属性を別のものに変更して撮像を行わなければならないにもかかわらず設定し忘れている可能性を否定できない。従って経過時間が２４時間以上であれば警告を発するためにＳ１２５に進む。経過時間が２４時間未満であれば警告を発することなくＳ１５０に進む。なお、第一実施例では所定時間として２４時間を例に説明するが、所定時間はユーザが任意に設定できるようにするとよい。
【００４２】
Ｓ１２５では、ＤＳＣ１は警告を発する。具体的には例えば図５に示すように警告画面３２をＬＣＤに表示する。警告画面３２には「工種・種別・細別設定を確認下さい。」という警告メッセージが表示され、それによりユーザは分類属性を設定し忘れていることに気付くことができる。警告画面３２には図示するように「次回から警告を表示しない」、「撮像モードへ戻る」、及び「設定変更」という選択肢が表示され、ユーザは操作部１９を操作することにより処理を選択できる。
【００４３】
「次回から警告を表示しない」は、次のフレームが選択されるまでは撮像モードが選択されても経過時間に関わらず警告画面３２を表示しないようにする処理である。全ての作業工程が２４時間で終了するわけではないので、２４時間以上経過していても意図的に前回のフレームで撮像を行う場合もある。その場合、撮像モードを選択する度に警告画面３２が表示されると煩わしい。このような場合、「次回から警告を表示しない」を選択すれば、警告画面３２が無用に表示されないのでユーザの煩わしさを低減できる。「次回から警告を表示しない」という設定は警告を行わないという設定であり、すなわちＤＳＣ１は警告を行うよう設定されているときのみ警告を発する。
【００４４】
「撮像モードへ戻る」は、電源をオフにするまでは警告画面３２を表示しないようにする処理である。例えば前述した「次回から警告を表示しない」の場合、次回電源をオンにしても新たな工種、種別、細別が選択されない限り警告は表示されない。しかしながら、電源をオフにするまでは警告画面３２の表示は無用であっても、次回電源をオンにしたときは設定を変更しなければならない可能性があり、そのときに忘れずに設定するよう警告画面３２が表示されて欲しい場合もある。このような場合、「撮像モードへ戻る」を選択すれば、電源をオフにするまでは警告画面３２の表示による煩わしさを低減でき、次回電源をオンにしたときは警告画面３２が表示されるようにすることができる。
【００４５】
「設定変更」は、設定画面３１を表示する処理である。「設定変更」を選択してボタン１９ｂを押下すると図３に示した設定画面３１に遷移する。従って、警告画面３２が表示されたことで設定し忘れていたことに気付いた場合は、「設定変更」を選択することによって警告画面３２から設定画面３１に直接遷移でき、画面切換の手間を低減できる。
【００４６】
なお、この他、フレームや経過時間に関わらず警告を一切発しないように設定できるようにしてもよい。工事現場以外を撮像する場合や、都合により事前にフレームを設定した場合は、ユーザは警告を発しないよう設定することで無用な警告が表示されないようにすることができる。
Ｓ１３０〜Ｓ１４５では、選択された処理を実行する。
【００４７】
Ｓ１５０では、ＤＳＣ１はユーザによりシャッタボタンが押下されると各部を制御して工事現場を撮像し、工事現場写真を作成する。
Ｓ１５５では、ＤＳＣ１は設定されているフレームを工事現場写真に関連付ける処理を施す。具体的には前述したように関連付けファイルを用いて関連付ける。
【００４８】
以上説明した本発明の第一実施例に係るＤＳＣ１によると、設定受付時から２４時間以上空いて撮像を行う場合、撮像モードを選択したタイミングで警告画面３２が表示される。これによりユーザはフレームの設定又は設定の確認を忘れていたことに気付くことができる。よってこのディジタルカメラによると、前回の撮像から時間間隔が空いた場合に、次回の撮像でユーザがフレームを設定し忘れることを防止できる。これにより、工事現場写真に誤ったフレームが関連付けられてしまうことを防止できる。
【００４９】
なお、第一実施例では「必須の操作」として撮像モードを選択する操作を例に説明したが、「必須の操作」は電源をオンにする操作でもよいし、シャッタボタンを押下する操作でもよい。
また、本実施例では所定時間が経過した後に必須の操作が行われた時点で警告を発するが、経過時間を定期的に監視し、所定時間に達した時点で警告してもよい。
【００５０】
また、第一実施例では警告画面３２を表示することにより警告を発しているが、Ｄ／Ａコンバータ、アンプ、スピーカ等を有する発音部を備え、音により警告を発するようにしてもよい。
また、第一実施例では分類属性として工種、種別、細別を例に説明したが、分類属性はこれに限られるものではなく、ディジタル画像と分類属性とを関連付けておかなければならない被写体の撮像に応用可能である。
また、第一実施例ではディジタルカメラとしてディジタルスチルカメラを例に説明したが、ディジタルビデオカメラやカメラ機能付き携帯電話に本発明を適用してもよい。
【００５１】
（第二実施例）
次に、第二実施例に係るＤＳＣについて説明する。
第二実施例に係るＤＳＣのハードウェア構造は第一実施例と実質的に同一である。特許請求の範囲に記載の記憶手段は、制御部２０、及び外部記憶部２１に相当する。特許請求の範囲に記載の再生手段は、表示部１８、及び制御部２０に相当する。特許請求の範囲に記載の再生指示手段は、操作部１９、及び制御部２０に相当する。
【００５２】
図６は、第二実施例に係るＤＳＣによって保存される関連付けファイルの内容を示す模式図である。第二実施例に係るＤＳＣは、工事現場写真を作成すると関連付けファイル４１にそのとき設定されているフレームのファイル名あるいはパス名を記述する他、最後にフレームの設定又は設定の確認を受け付けた設定受付時、及び当該工事現場写真を作成した作成時を記述する。これにより設定受付時と工事現場写真と工事現場写真を作成した作成時とが関連付けられて記憶される。なお、作成時については工事現場写真のヘッダ情報からも取得可能であるため、必ずしも関連付けファイル４１に記述しなくてもよい。
【００５３】
次に、第二実施例に係るＤＳＣの処理の流れについて説明する。
図７は、第二実施例に係るＤＳＣの処理の流れを示すフローチャートである。図７に示す処理はユーザが操作部１９を操作してディジタル画像の再生を指示する操作を行うと開始される。
Ｓ２０５では、ＤＳＣは工事現場写真を表示する。ＤＳＣは再生が指示されると、リムーバブルメモリ２２から工事現場写真を一つ選択して図８に示すようにＬＣＤに表示する。図８に示す再生画面３４において、ユーザは十字キー１９ｃの右端又は左端を押下することにより、前の工事現場写真又は次の工事現場写真を一つずつ順に表示することができる。フレームが関連付けられている工事現場写真には、図示するように工種、種別、細別が重ね合わせて表示される。このためユーザは関連付けられているフレームを確認することができる。なお、フレームが邪魔で見づらければフレームを表示しないようにすることもできる。これは工種、種別、細別を工事現場写真に合成せずフレームとして関連付けておくことの利点の一つである。
【００５４】
Ｓ２１０では、ＤＳＣは表示した工事現場写真に対応する関連付けファイル４１から設定受付時を読み出す。
Ｓ２１５では、ＤＳＣは表示した工事現場写真に対応する関連付けファイル４１から作成時を読み出す。
Ｓ２２０では、ＤＳＣは作成時から設定受付時を減じて両者の時刻のずれ、すなわち時差を求める。
【００５５】
Ｓ２２５では、ＤＳＣは時差が所定時間以上であるか否かを判定する。例えば工事現場写真の場合であれば第一実施例と同様に２４時間以上であるか否かを判定する。２４時間以上であればＳ２３０に進み、２４時間未満であれば処理を終了する。
Ｓ２３０では、ＤＳＣは警告を発する。具体的には例えば図９に示すように警告画面３３をＬＣＤに表示する。警告画面３３には「工種・種別・細別設定を確認下さい。」という警告メッセージが表示される。警告画面３３には図示するように「再生モードへ戻る」、及び「設定変更」という選択肢が表示され、ユーザは操作部１９を操作することにより処理を選択できる。
【００５６】
「再生モードへ戻る」は、警告画面３３を非表示にして工事現場写真のみが表示されている状態に戻る処理である。フレームを確認した結果、誤りでなければ「再生モードへ戻る」を選択する。
「設定変更」は、設定画面へ遷移する処理である。「設定変更」を選択してボタン１９ｂを押下すると図３に示した設定画面３１に遷移する。従って、警告画面３３が表示されたことで誤ったフレームが関連付けられていることに気付いた場合は、「設定変更」を選択することによって警告画面３３から設定画面３１に直接遷移でき、画面切換の手間を低減できる。
【００５７】
Ｓ２３５では、ＤＳＣはどちらの選択肢が選択されたかを判定し、「再生モードへ戻る」の場合はＳ２４０に進み、工事現場写真のみを表示する。「設定変更」の場合はＳ２４５に進む。
Ｓ２４５では、ＤＳＣは設定画面３１を表示してフレームの選択を受け付ける。ユーザによりフレームが選択されると、ＤＳＣは対応する関連付けファイル４１に記述されているファイル名あるいはパス名を、選択されたフレームのファイル名あるいはパス名で上書きする。これにより、工事現場写真とフレームとの関連付けが変更される。工種・種別・細別を工事現場写真と合成せずフレームとして関連付けておくことの利点の一つは、設定が間違っていても上述したように関連付けを変更するだけで訂正でき、工事現場を撮像し直す必要がないことにある。
【００５８】
以上説明した第二実施例に係るＤＳＣによると、前回の撮像から時間間隔が空いた場合に、次回の撮像でユーザがフレームを設定し忘れて撮像してしまっても、設定受付時と作成時との時差が２４時間以上であれば再生の際に警告画面３３が表示されるため、ユーザはそのことに気付くことができる。
更に、第二実施例に係るＤＳＣによると、誤ったフレームが関連付けられていることに気付いた場合、フレームを選択し直すことによって関連付けを変更できるため、関連付けの誤りを容易に訂正できる。
【００５９】
なお、第二実施例に係るＤＳＣで作成したディジタル画像を、パーソナルコンピュータ（ＰＣ）等の画像再生装置で再生してもよい。ＰＣに再生手段、再生指示手段、及び警告手段を備えると、第二実施例に係るＤＳＣによる工事現場の撮影において次回の撮像でフレームを設定し忘れて撮像してしまっても、ＰＣでそのディジタル画像を再生するユーザはそのことに気付くことができる。なお、画像再生装置はＰＤＡなどであってもよい。
【００６０】
（第三実施例）
第三実施例では、撮像条件として露出値を例に説明する。
図１０は、第三実施例に係るフローチャートである。
Ｓ３０５では、ＤＳＣはユーザによりシャッタボタンが押下されると設定されている露出値に基づいて各部を制御してディジタル画像を作成する。設定されている露出値に基づいてディジタル画像を作成することは公知であるため詳細な説明は省略する。第三実施例はその他の点において第一実施例と実質的に同一である。
【００６１】
例えば、夜に露出値の設定を変更して撮像し、次の日の日中にまた撮像を行うとする。この場合、露出値の設定を変更したことを忘れて日中の撮像を行うと、オーバー露出による失敗撮像となってしまう。第三実施例に係るＤＳＣによると、例えば所定時間を６時間としておけば、夜に露出値の設定を変更して撮像しても次の日の撮像で設定又は設定の確認を忘れていればそのことを警告するメッセージが表示されるので、失敗撮像を防止できる。
【００６２】
なお、第三実施例では撮像条件として露出値を例に説明したが、撮像条件はホワイトバランスでもよいし、シーンモード情報であってもよい。ホワイトバランスとはホワイトバランス補正における補正値のことをいう。ホワイトバランス補正とは光源が異なってもディジタル画像上で白色が白色に見えるようにする補正であり、ホワイトバランスは例えば蛍光灯、昼日光などといったように光源の種類で設定される。シーンモード情報とは被写体に適した画像処理を指定するものであり、具体的には例えばノーマル、ポートレート、風景、マクロなどのように設定される。
【００６３】
また、撮像条件はストロボ制御情報であってもよい。ストロボ制御情報としてストロボを発光する情報が設定された場合、ＤＳＣはＳ３０５でストロボを発光させて撮像を行う。
【００６４】
（第四実施例）
第四実施例では、撮像条件としてディジタル画像のサイズを例に説明する。
図１１は、第四実施例に係るＤＳＣの処理の流れを示すフローチャートである。
Ｓ４０５では、ＤＳＣは作成したディジタル画像に設定されているサイズに応じた処理を施す。具体的には、制御部２０はディジタル画像処理部１４から出力されたディジタル画像の画素を間引いて設定されているサイズに縮小するか、又は所定の補間アルゴリズムにより画素を補間して設定されているサイズに拡大する。なお、ディジタル画像の縮小／拡大はディジタル画像処理部１４で行ってもよい。第四実施例はその他の点において第一実施例と実質的に同一である。
【００６５】
一般のユーザは毎日撮像を行うわけではないため、前回撮像してから次回撮像するまでの間に何日も経っていることがあり、前回サイズの設定を変更したことを忘れてしまっていることもある。設定を変更したことを忘れて撮像してしまうと、意図した結果と異なるサイズのディジタル画像が出力されてしまう。第四実施例に係るＤＳＣによると、前回撮像してから所定時間以上経過している場合、サイズの設定又は設定の確認を忘れているとそのことを警告するメッセージが表示されるので、失敗撮像を防止できる。
【００６６】
なお、第四実施例では撮像条件としてディジタル画像のサイズを例に説明したが、撮像条件は圧縮率であってもよい。この場合、制御部２０は圧縮・伸張部１５を設定された圧縮パラメータで圧縮するよう制御し、圧縮・伸張部１５は設定された圧縮パラメータでディジタル画像を圧縮して出力する。
【図面の簡単な説明】
【００６７】
【図１】本発明の第一実施例に係るフローチャート。
【図２】本発明の第一実施例に係るディジタルカメラのブロック図。
【図３】本発明の第一実施例に係る設定画面の模式図。
【図４】本発明の第一実施例に係る記憶媒体の記録内容を示す模式図。
【図５】本発明の第一実施例に係る警告画面の模式図。
【図６】本発明の第二実施例に係る関連付けファイルの内容を示す模式図。
【図７】本発明の第二実施例に係るフローチャート。
【図８】本発明の第二実施例に係る再生画面の模式図。
【図９】本発明の第二実施例に係る警告画面の模式図。
【図１０】本発明の第三実施例に係るフローチャート。
【図１１】本発明の第四実施例に係るフローチャート。
【符号の説明】
【００６８】
１  ディジタルスチルカメラ（ディジタルカメラ）、１１  光学系（撮像手段）、１２  イメージセンサ（撮像手段）、１３  アナログフロントエンド部（撮像手段）、１４  ディジタル画像処理部（撮像手段）、１５  圧縮・伸張部（撮像手段）、１８  表示部（設定手段、操作手段、警告手段、警告設定手段、再生手段）、１９  操作部（設定手段、操作手段、警告設定手段、再生指示手段）、２０  制御部（撮像手段、設定手段、操作手段、警告手段、警告設定手段、記憶手段、再生指示手段、再生手段）、２１  外部記憶部（記憶手段）、２２  リムーバブルメモリ（記憶媒体）、２３  計時部（警告手段）、２４  ストロボ
【図１】
2006066940.tif 000003
【図２】
2006066940.tif 000004
【図３】
2006066940.tif 000005
【図４】
2006066940.tif 000006
【図５】
2006066940.tif 000007
【図６】
2006066940.tif 000008
【図７】
2006066940.tif 000009
【図８】
2006066940.tif 000010
【図９】
2006066940.tif 000011
【図１０】
2006066940.tif 000012
【図１１】
2006066940.tif 000013